(57)【要約】【課題】ショックアブソーバの伸び側並びに縮み側の減衰力を外部よりそれぞれ調整を可能とすること。【解決手段】チューブ２内をフリーピストン３を挟んでリザーバ室４とオイル室５とに分ける。このオイル室５を上方のオイル室５ａと下方のオイル室５ｂとに分けるピストン１４が配され、該ピストン１４に前記上方及び下方のオイル室を連通する少なくとも２つの連通孔１８，１９が形成され、この両連通孔１８，１９に流れるオイル量を制限する弁板２１，２３が配されている。この弁板２１，２３のセット力を外部から調整可能なセット力調整手段としてロッド８、スリーブ１０、押し板２８、ナット３１、受け具３５、押し板３６を備えている。【選択図】  図２
2004270715.tif 000002
【特許請求の範囲】
【請求項１】
チューブ内にフリーピストンを挟んで高圧ガスが封入されたリザーバ室とオイル室とに分けられ、このオイル室内にピストンが配されて、該オイル室を上方及び下方のオイル室に分けられると共に、該ピストンに前記上方及び下方のオイル室間を連通し且つ流れの方向性を異にする少なくとも２つの連通孔を持ち、この少なくとも２つの連通孔に流れるオイル量を制限する弁板をそれぞれ持つショックアブソーバにおいて、
前記流れるオイル量を制限する弁板のセット力を外部より調整可能するセット力調整手段を持つことを特徴とするショックアブソーバ。
【請求項２】
流れるオイル量を制限する弁板の一方のセット力調整手段は、前記ピストンを貫通するロッドと、このロッドの回動により、一方の連通孔を流れるオイル量を制限する弁板に与えられる付勢力を可変とする付勢手段を持つことを特徴とする請求項１記載のショックアブソーバ。
【請求項３】
流れるオイル量を制限する弁板の他方のセット力調整手段は、前記ピストンを貫通するロッドの外周に外嵌のスリーブと、このスリーブの回動により、他方の連通路を流れるオイル量を制限する弁板に与えられる付勢力を可変とする付勢手段を持つことを特徴とする請求項１記載のショックアブソーバ。
【請求項４】
前記弁板はその径方向が少しずつ異にする複数の板ばねが集められて構成されることを特徴とする請求項１，２又は３記載のショックアブソーバ。
【発明の詳細な説明】
【０００１】
【発明の属する技術分野】
この発明は、自動車等のサスペンションを構成するショックアブソーバに関し、詳しくは、伸び側及び縮み側の減衰力特性を外部より仕意に可変調整が出来るようにしたショックアブソーバの構造に関する。
【０００２】
【従来の技術】
従来、この種のショックアブソーバとしては、モノチューブ式のショックアブソーバがある（特許文献１）。このショックアブソーバは、有底筒状のチューブ内にフリーピストンが摺動自在に収納され、このフリーピストンとチューブの内底壁との間の内部空間には高圧ガスが充填されたリザーバ室が設けられている。そして、チューブの開口端側にはピストンロッドがロッドガイドを介して、チューブ内へ進退自在に挿入され、その挿入先端部分にバルブを持つピストンが設けられている。そして、このピストンを介してチューブの作動流体（オイル）で満たされた上方のオイル室と下方のオイル室とに区画されている。
【０００３】
そしてまた、ピストンに形成のバルブは、流れる方向を異にする連通孔が少なくとも２つ以上設けられ、ピストンロッドの伸び行程、又はピストンロッドの縮み行程時に連通路を通るオイルの流れ抵抗により減衰力を生じさせる弁板が設けられている。
【０００４】
【特許文献１】特開平１０−１９６６９９号公報  図４
【０００５】
【発明が解決しようとする課題】
前記特許文献１では、弁板はピストンに固定されており、ショックアブソーバの組立後に、減衰力特性を変化させることは不可能であった。しかし、組立後にあっても減衰力の微調整ができるショックアブソーバの開発が要請されていた。
【０００６】
そこでこの発明は、ショックアブソーバの組立後であっても、減衰力を外部より仕意に可変が出来るようにするショックアブソーバを提供する。
【０００７】
【課題を解決するための手段】
この発明に係るショックアブソーバは、チューブ内にフリーピストンを挟んで高圧ガスが封入されたリザーバ室とオイル室とに分けられ、このオイル室内にピストンが配されて、該オイル室を上方及び下方のオイル室に分けられると共に、該ピストンに前記上方及び下方のオイル室間を連通し且つ流れの方向性を異にする少なくとも２つの連通孔を持ち、この少なくとも２つの連通孔に流れるオイル量を制限する弁板をそれぞれ持つショックアブソーバにおいて、前記流れるオイル量を制限する弁板のセット力を外部より調整可能とするセット力調整手段を持つことにある（請求項１）。
【０００８】
この構成により、ショックアブソーバの組立後に、流れ方向を異にする少なくとも２つの連通孔に配される流れるオイル量を制限する弁板のセット力を外部から調整できて伸び側のみならず縮み側の減衰力特性を変化させることができる。
【０００９】
また、流れるオイル量を制限する弁板の一方のセット力調整手段は、前記ピストンを貫通するロッドと、このロッドの回動により、一方の連通孔を流れるオイル量を制限する弁板への付勢力を可変する付勢手段を持つことにある（請求項２）。さらに、流れるオイル量を制限する弁板の他方のセット力調整手段は、前記ピストンを貫通するロッドの外周に外嵌のスリーブと、このスリーブの回動により、他方の連通路を流れるオイル量を制限する弁板に与えられる付勢力を可変とする付勢手段を持つことにある（請求項３）。
【００１０】
この構成により、ピストンに貫通するロッド及びそれに外嵌しているスリーブのそれぞれの回動により弁板へ与える付勢力が変化され、それぞれ別々に連通孔を流れるオイル量が変化される。したがって、伸び側及び縮み側を別々に減衰力を仕意に変化させることができる。また、弁板はその径方向が少しずつ異なる複数の板ばねが集められて構成されていることにある（請求項４）。
【００１１】
【発明の実施の形態】
以下この発明の実施の形態を図面にもとづいて説明する。
【００１２】
図１，図２において、この発明のショックアブソーバ１の断面図が示され、チューブ２は有底のもので、内部にフリーピストン３が配されている。このフリーピストン３とチューブ２の内底との間の空間には、窒素ガスなどの高圧ガスが充填されたリザーバ室４が設けられている。そして、フリーピストン３と挟んで反リザーバ室側にはオイルが充填されているオイル室５が形成されている。
【００１３】
そして、チューブ２の開口端側には、ピストンロッド６がロッドガイド７、シール装置１５を介してチューブ２内へ進退動自在に挿入され、その挿入先端に下記するピストン１４が設けられている。前記ピストンロッド６は、この実施の形態では、中心にロッド８そのロッド８外嵌のスリーブ９そして再に外嵌のスリーブ１０より構成されている。そして、ロッド８には、その外側端に伸び側の調整ダイヤル１１、スリーブ１０には、その外側端に縮み側の調整ダイヤル１２がそれぞれ取付られている。
【００１４】
ピストン１４は、円板状の部材で、前記したごとく、チューブ２内に摺動自在に配され、該ピストン１４を挟んで上方のオイル室５ａと下方のオイル室５ｂに区画している。このピストン１４には、上方のオイル室５ａから下方のオイル室５ｂへ流れを許容する複数の連通孔１８と、逆に下方のオイル室５ｂから上方のオイル室５ａへ流れを許容する複数の連通孔１９が形成されている。これら両連通孔１８，１９の一端に、該連通孔を流れるオイル量を制限する弁板２１，２３が前記ピストン１４の上下に下記するように設けられている。また、ピストン１４は中心に小径の穴２５とこれに続く大径の螺子穴２６とが形成され、大径の螺子穴２６には前記スリーブ９の螺子部１６が螺合して結合されている。
【００１５】
弁板２１は、複数の板ばねが用いられ、それら板ばねは直径方向を少しずつ異にして山状に積み上げられた構成で、受け具２７と押し板２８との間介在され、前記したロッド８の先端の螺子部１３に、受け具２７の螺合穴２９が螺合し、それから押し板２８の穴３０を介して挿入し、最も外側で前記押し板２８に固着のナット３１が螺合され、該弁板２１はロッド８に取付られている。したがって、弁板２１は前記ピストン１４の下方にあって、環状突部３３に接触され、前記ロッド８の回動によって、押し板２８、受け具２７の位置が変化し、弁板２１に与えられる環状突部３３方向への付勢力が変化され、弁板２３のセット力が変化される。
【００１６】
また、弁板２３は、前記した弁板２１と同じ構造で、複数の板ばねが用いられ、それら板ばねは直径方向を少しずつ異にして山状に積み上げられた構成で、受け具３５と押し板３６との間に介在され、前記受け具３５の螺子部３７を介して前記したスリーブ１０の螺子部３５に螺合して固定されている。そして、弁板２３の下端側はピストン１４の環状突部４２に接触されている。また、前記受け具３５の螺子部４０と前記したスリーブ９の螺子部１６と螺合しており、スリーブ１０の回動により、受け具３５、押し板３６の位置が変化し、弁板２３に与えられる環状突部４２方向への付勢力が変化され、弁板２３のセット力が変化される。
【００１７】
なお、４４は、前記ロッド６に係止の取付具、４５は前記スリーブ２に外嵌する外筒で、該外筒４５には取付穴４６が形成されている。
【００１８】
以上の構成により、ショックアブソーバ１は伸び行程時ではピストン１４の上方のオイル室５ａのオイルは、連通孔１８を介して下方のオイル室５ｂに流れるが、その際に弁板２１にて流れる量が絞られる。このとき上方のオイル室５ａ内の圧力が下方のオイル室５ｂの圧力より高圧となって、減衰力を発生すると同時に、チューブ２より抜けたロッド６の体積分だけフリーピストン３が上昇してバランスする。縮み行程では下方のオイル室５ｂ内のオイルが、連通孔１９を介して上方のオイル室５ａに流れるが、その際に弁板２３にて流れる量が絞られる。このとき、上方のオイル室５ａが封入圧より低圧となり、ピストン１４の上下に差圧を生じ、これにより減衰力が発生するようになる。
【００１９】
この減衰力を外部より調整することができる。即ち伸び側の減衰力の調整は、ダイヤル１１を回動することで行われる。ダイヤル１１を回動してロッド８を回し、弁板２１の位置を変化させ、もって弁板２１に対する環状突部３３方向への付勢力を弱め、または強めることにて、弁板２１のセット力が変化されて行われる。また、縮み側の減衰力の調整は、ダイヤル１２を回動することで行われる。ダイヤル１２を回動してスリーブ１０を回し、弁板２３の位置を変化させ、もって弁板２３への付勢力を弱め、または強めることにて、弁板２３のセット力が変化されて行われる。このように、ショックアブソーバ１を組立後に外部より容易に調整が可能である。
【００２０】
【発明の効果】
以上のように、この発明によれば、ピストンに形成の流れ方向性を異にする少なくとも２つの連通孔を流れるオイル量を制限する弁板への付勢力を外部から調整手段を介して調整でき、もって弁板のセット力が変化され、伸び側のみならず縮み側の減衰力を変化させることができる（請求項１）。
【００２１】
また、弁板のセット力の調整は、該弁板に与えられる付勢力やを変化させて行われるが、その構造は簡単である（請求項２，３）。
【図面の簡単な説明】
【図１】この発明に係るショックアブソーバの断面図である。
【図２】同上の一部拡大断面図である。
【符号の説明】
１  ショックアブソーバ
２  チューブ
３  フリーピストン
４  リザーバ室
５  オイル室
５ａ  上方のオイル室
５ｂ  下方のオイル室
１３  螺子部
１６  螺子部
１８  連通孔
１９  連通孔
２１  弁板
２３  弁板
２７  受け具
２８  押し板
３１  ナット
３３  環状突部
３５  受け具
３６  押し板
４０  螺子部
３８  螺子部
４２  環状突部
【図１】
2004270715.tif 000003
【図２】
2004270715.tif 000004
【手続補正書】
【提出日】平成15年3月17日(2003.3.17)
【手続補正１】
【補正対象書類名】明細書
【補正対象項目名】００１３
【補正方法】変更
【補正の内容】
【００１３】
そして、チューブ２の開口端側には、ピストンロッド６がロッドガイド７、伸び側ストッパー１５を介してチューブ２内へ進退動自在に挿入され、その挿入先端に下記するピストン１４が設けられている。前記ピストンロッド６は、この実施の形態では、中心にロッド８そのロッド８外嵌のスリーブ９そして再に外嵌のスリーブ１０より構成されている。そして、ロッド８には、その外側端に伸び側の調整ダイヤル１１、スリーブ９には、その外側端に縮み側の調整ダイヤル１２がそれぞれ取付られている。


【手続補正２】
【補正対象書類名】明細書
【補正対象項目名】００１６
【補正方法】変更
【補正の内容】
【００１６】
また、弁板２３は、前記した弁板２１と同じ構造で、複数の板ばねが用いられ、それら板ばねは直径方向を少しずつ異にして山状に積み上げられた構成で、受け具３５と押し板３６との間に介在され、前記受け具３５の螺子部３７を介して前記したスリーブ１０の螺子部３８に螺合して固定されている。そして、弁板２３の下端側はピストン１４の環状突部４２に接触されている。また、前記受け具３５の螺子部４０と前記したスリーブ９の螺子部１６と螺合しており、スリーブ９の回動により、受け具３５、押し板３６とピストン１４の相対的な位置が変化し、弁板２３に与えられる環状突部４２方向への付勢力が変化され、弁板２３のセット力が変化される。


【手続補正３】
【補正対象書類名】明細書
【補正対象項目名】００１９
【補正方法】変更
【補正の内容】
【００１９】
この減衰力を外部より調整することができる。即ち伸び側の減衰力の調整は、ダイヤル１１を回動することで行われる。ダイヤル１１を回動してロッド８を回し、弁板２１の位置を変化させ、もって弁板２１に対する環状突部３３方向への付勢力を弱め、または強めることにて、弁板２１のセット力が変化されて行われる。また、縮み側の減衰力の調整は、ダイヤル１２を回動することで行われる。ダイヤル１２を回動してスリーブ９を回し、弁板２３の位置を変化させ、もって弁板２３への付勢力を弱め、または強めることにて、弁板２３のセット力が変化されて行われる。このように、ショックアブソーバ１を組立後に外部より容易に調整が可能である。


【手続補正４】
【補正対象書類名】図面
【補正対象項目名】図１
【補正方法】変更
【補正の内容】
【図１】
2004270715.tif 000005
【手続補正５】
【補正対象書類名】図面
【補正対象項目名】図２
【補正方法】変更
【補正の内容】
【図２】
2004270715.tif 000006